(57)【特許請求の範囲】
【請求項１】
軸心部に収容部を有する親浮きと、収容部に上下移動可能に挿通される上部子浮き及び下部移動部とよりなり、前記上部子浮きは、上部が二股又は二股以上に分岐し、下部が筒体となつており、前記下部移動部は貫通穴を有し、前記上部子浮きの筒体と、下部移動部は収容部から脱落しない構成と成っていることを特徴とする万能釣り用浮き。
【請求項２】
軸心部に収容部を有する親浮きと、収容部に上下移動可能に挿通される上部子浮き及び下部移動部とよりなり、前記上部子浮きは、上部から二股又は二股以上に分岐し、下部が筒体となつており、前記下部移動部は貫通穴を有し、前記上部子浮きの筒体と、下部移動部は収容部から脱落しない構成と成っているとともに、上記上部子浮きは、収容部に挿入したとき、その二股又は、二股以上の先端部が親浮きの収容部の先端部によつて挟持される構成と成つていることを特徴とする万能釣り用浮き。

【発明の詳細な説明】
【技術分野】
【０００１】
本発明は,上部と下部より構成される円錐形状や玉子型形状及びどんぐり型形状の親浮き中心部に収容部を設け、前記記載の収容部の上部に子浮きと、下部に子浮きを上方移動させる移動部を設ける、さらに双方の中心部には、糸通し孔用の貫通穴を設けて親浮き着水後，子浮きが親浮きの上方に浮上するよう設けた万能釣り用浮きに関する。
【背景技術】
【０００２】
従来使用されている遠投用に用いられている円錐形状や、どんぐり型形状及び玉子型形状等々の浮きの場合は、遠投した場所から着水後、浮きの上部一部分だけしか水面上に浮上しないため浮き沈降時の視認性が悪かった。
【０００３】
また、特に風や、うねり等々気象条件が悪い場合の視認性は非常に悪く、魚が引いた場合、浮きの沈降時を見逃す場合が多かった。      
【０００４】
また、低部に錘を設けられた棒状の浮きを使用して遠投する場合等は、バランス性が非常悪く遠くに投げ難いと言う場合が多々有った。
【発明の開示】
【発明が解決しようとする課題】
【０００５】
以上述べたように遠投の底釣りの場合と異なり、浮き釣りの場合は、浮きだけが頼りの釣りでありるが、従来の円錐型形状や、どんぐり型形状及び玉子型形状等々の飛ばし浮きの場合は、遠投は可能であったが、気象条件が悪く、風やうねり等が有る場合、浮きの一部上部だけしか水面上に浮上しないため視認性が悪く，沈降時の上下動を見逃す場合が多々あり成果が期待できない場合が多かった、また、さらに、低部に錘を設けられている棒状の浮きの場合は、視認性は良いが，遠投時バランス性が悪く投げ難いという問題点があった。
【０００６】
また、本来浮きと道糸の関係は、水面か水面下部より水面上に表れているが、上記記載の円錐形状や、どんぐり型及び玉子型の飛ばし浮きの場合は、浮きの中心部底部より上部まで、道糸を通して用いるため、浮上している浮きの上部から糸が出るために道糸の遊びが多くなり、その結果、風の抵抗大きくなるために道糸が前後左右上下と、移動し易く、その度ごとに浮きが反応するため，魚の引きかどうか判断し難いかった。
【０００７】
本発明は、前記記載の従来の飛ばし浮きの構成が有していた着水後の、視認性の問題点を解決しようとするものである。
【課題を解決するための手段】
【０００８】
上記問題点を解決するために本発明の浮きに付いて図１から図９までに示されている図に付いて説明する。    
図1及び２に付いて説明すると、軸心部に収容部８を有する親浮き１と、収容部８に上下移動可能に挿通される上部子浮き２及び下部移動部７とよりなり、前記上部子浮き２は、上部が二股又は、二股以上に分岐し、下部６が筒体となつており、前記筒体と下部移動部７の双方の中心部には道糸１３を設けるための糸通し孔９、１０用の貫通穴を有し、前記上部子浮き２の筒体と、下部移動部７は収容部８から脱落しない構成と成っていることを特徴とする万能釣り用浮きである。
【０００９】
また、図3及び４に付いて説明すると、軸心部に収容部８を有する親浮き１と、収容部８に上下移動可能に挿通される上部子浮き２及び下部移動部７とよりなり、前記上部子浮き２は、上部が二股又は、二股以上に分岐し、下部６が筒体となつており、前記筒体と下部移動部７の双方の中心部には道糸１３を設けるための糸通し孔９，１０用の貫通穴を有し、前記上部子浮き２の筒体と、下部移動部７は収容部８から脱落しない構成と成っているとともに、上記上部子浮き２は、収容部８に挿入したとき、その二股又は、二股以上の先端部４が親浮き１の収容部８の先端部１１によつて挟持される構成と成つていることを特徴とする万能釣り用浮きである。
【００１０】
図5は，図1のA-A’方向一部断面を示す図である。９は、棒状の浮き２３の子浮き２の下部６中央部上部より下部に貫通して道糸１３用の糸通し孔であり、また，親浮き１中央部に設けた子浮き2を親浮き１の収容部８に収容し合体した状態の親浮き１上部３平面図であり、図6は，図2のB-B’方向を示す断面図である。８は親浮き中央部に設けられた収容部であり、２１は上部と下部５に浮力を得るために設けられた凹部であり、７は前記収容部８を上下動移動できる移動部であり、そして１０は移動部中央部上部から下部に貫通して設けられている道糸１３用の糸通し孔９，１０である。
【００１１】
図7は，図3のC-C’方向を示す底面図である。７は、親浮き１中央部に設けられている収容部8の底部に上下移動できるよう設けられている移動部7であり、移動部７には，糸通し孔１０と水抜き穴１４を設けている、５は前記親浮き１の下部であり、１８は、道糸とハリス１９を繋いでいる，より戻しを兼ねたのサルカンであり、図8は，図4のD-D’方向を示す平面図である。図１に示されている親浮き1を遠投する場合、子浮き２用の棒状の浮き２３の上部４を親浮き１中央部の収容部上部の装着部１１に装着することにより、道糸１３を挟岐している状態を示している親浮き上部３の平面図であり，８は子浮き２の収容部である。
【００１２】
そして図９の説明は図８と同様であが，親浮１き中央部に設けられている収容部８の形状は図６から図８までは全て六角形状でり、子浮き２の形状は円柱形状である。しかし、双方の形状は、図９に示されている通り、例えば、収容部８を円柱形状に設けており、かつ、子浮き２が六角形状に示されている通り、収容部８に設けられている子浮き２及び移動部７の外側周囲側面と、収容部８内側周囲側面の形状は前記子浮き２及び移動部７が上下移動時円滑に移動可能な形状であれば良く限定するものではないと言う事例を示している図である。 
【００１３】
上記のように構成されている万能釣り用浮きの内側に設けられている子浮き用の円柱形状の棒浮きは、下部糸通し穴の位置まで二股に分岐されているが、機能か変わらなければ良く分岐される数を限定するものではない、
【００１４】
また、親浮き中央部に設けられている、子浮き及び移動部収容部の形状及び前記記載の子浮き及び移動部が，収容部移動時円滑に移動できる形状であれば良く双方の形状を限定するものではない。
【００１５】
また、さらに浮き着水後収容部に入水するため，収容部底部に設けられている移動部には道糸を巻き取る場合の水抜き用穴を設けられている、前記水抜き用穴の形状及び数は適宜に設ければよく限定するものではない。
【発明の効果】
【００１６】
上述したように本発明の万能釣り用浮きは、親浮き中央部に設けられている子浮き収容部に棒浮き状の子浮きを合体できることにより，遠投着水後親浮き上部から上方に内側に設けられている棒状の子浮きが水面上に浮上するため従来の円錐形状やどんぐり型形状及び玉子型形状の浮きと異なり、浮上した部分だけでも着水後の視認性は格段い向上している。
【００１７】
親浮き上部に子浮き用の棒浮きが浮上するために視認性が良なる効果として、釣りの成果が期待できる。
【００１８】
また、使用後も子浮き用の棒状浮きを親浮き内側に収納できることにより破損し難い万能釣り用浮きである。
【００１９】
さらに、便利な浮きでありながら構造の簡単であるために製造単価も安価である。
【００２０】
また、万能釣り用浮は適宜な浮力を得るために、構成される親浮き上部、下部、に設けられている凹部で形成される空洞部や、子浮き用の棒状浮きは勿論、各部分に用いる材料等の比重を考慮して作られる。
【発明を実施するための最良の形態】
【００２１】
以下，本発明の実施の形態を図１から図９に基づいて説明する。
【００２２】
図１は、本発明の実施例１を示す縦中央断面図である。図２に示されている子浮き２用の棒状の浮き２３を、親浮き１と合体した状態で遠投着水後、子浮き２が水面１２上に浮上した状態を示した図である。親浮き１の上部３と下部５双方に浮力用の凹部２１と、さらに中央部に道糸１３用の糸通し孔９，１０用の貫通穴を設けられた移動部８と、上部４より下部６筒体まで二股分岐と成っている子浮き２用の棒状の浮き２３を設けるための収容部８設けており，そして、前記親浮き１の上部３と下部５の鍵形状の嵌合部１５，１６を介して嵌合させている。また、図５に示されている通り移動部７には，道糸１３を巻き取る場合、浮遊中収容部８内に入水している水の水抜き穴１４を設けられている。尚，１７は釣り竿であり、１８は、道糸とハリス１９を繋である，より戻しを兼ねたサルカンであり、２２は浮き止め、２０は釣り針である。
【００２３】
図２は、本発明の実施例１を示す縦中央断面図である。図２は、図１に示されている水面１２上で親浮き１上部３から子浮き２用の棒状の浮き２３が浮上している状態の子浮き２を、下記される収容部８に収容し、親浮きと合体した状態を示している、また、親浮き１の上部３と、下部５に設けられている鍵形状の嵌合部１５，１６を介して嵌合することにより、浮力を得るための凹部２１と、さらに子浮き２用の棒状の浮き２３と、移動部を設けるための収容部を設けることができる、図６は、前記合体したときの平面図である、２は、子浮きであり、３は、親浮き上部、８は収容部、１３は道糸であり、９子浮き下部の糸通し孔である。
【００２４】
図３は，本発明の実施例２を示す縦中央断面図である。図４に示されている子浮き２用の棒状の浮き２３状を親浮き１と合体した状態で遠投着水後、子浮き２が水面１２上に浮上した状態を示している図である。親浮き１の上部３と下部５双方に浮力用の凹部２１と、さらに中央部に道糸１３用の糸通し孔９，１０用の貫通穴を設けられた移動部８と、上部４より下部６筒体まで二股分岐と成っている子浮き２用の棒状の浮き２３を設けるための収容部８設けており，そして、前記親浮き１の上部３と下部５の鍵形状の嵌合部１５，１６を介して嵌合させている。
【００２５】
また、図５に示されている通り移動部７には，道糸１３を巻き取る場合、浮遊中収容部８内に入水している水の水抜き穴１４を設けられている。尚、子浮き２用の棒状の浮き２３の上部４先端部周囲側面は、図１と２の上部４と異なり、図４に示されているように、子浮き２を親浮き１と合体させたときに先端部１１で道糸１３を挟岐するよう広く設けられている。そして、１７は釣り竿であり、１８は、道糸とハリス１９を繋である，より戻しを兼ねたサルカンであり、２２は浮き止め、２０は釣り針である。
【００２６】
図４は，本発明の実施例２を示す縦中央断面図である。図４は、図３に示されている水面１２上で親浮き１上部３から子浮き２用の棒状の浮き２３が浮上している状態を示している前記子浮き２を親浮き１収容部８に収容し合体した図である。親浮き１の上部３と下部５双方に浮力用の凹部２１と、さらに中央部に道糸１３用の糸通し孔９，１０を貫通して設けられた移動部８と、上部４より下部６筒体まで二股分岐と成っている子浮き２用の棒状の浮き２３を設けるための収容部８設けており，そして、前記親浮き１の上部３と下部５の鍵形状の嵌合部１５，１６を介して嵌合させている。また、図５に示されている通り移動部７には，道糸１３を巻き取る場合、浮遊中収容部８内に入水している水の水抜き穴１４を設けられている。尚、子浮き２用の棒状の浮き２３の上部４先端部周囲側面は、図１と２の上部４と異なり、図４に示されているように、子浮き２を親浮き１と合体させたときに先端部１１で道糸１３を挟岐するよう広く設けられている。そして、１７は釣り竿であり、１８は、道糸とハリス１９を繋である，より戻しを兼ねたサルカンであり、２２は浮き止め、２０は釣り針である。
【００２７】
図5は，図1のA-A’方向一部断面を示す図である。９は、棒状の浮き２３の子浮き２の下部６中央部上部より下部に貫通して道糸１３用の糸通し孔であり、また，親浮き１中央部に設けた子浮き2を親浮き１の収容部８に収容し合体した状態の親浮き１上部３平面図である。
【００２８】
図6は，図2のB-B’方向を示す断面図である。８は親浮き中央部に設けられた収容部であり、２１は上部と下部５に浮力を得るために設けられた凹部であり、７は前記収容部８を上下動移動できる移動部であり、そして１０は移動部中央部上部から下部に貫通して設けられている道糸１３用の糸通し孔である。
【００２９】
図7は，図3のC-C’方向を示す底面図である。７は、親浮き１中央部に設けられている収容部8の底部に上下移動できるよう設けられている移動部7であり、移動部７には，糸通し孔１０と水抜き穴１４を設けている、５は前記親浮き１の下部であり、１８は、道糸とハリス１９を繋いでいる，より戻しを兼ねたのサルカンである。
【００３０】
図8は，図4のD-D’方向を示す平面図である。図１に示されている親浮き1を遠投する場合、子浮き２用の棒状の浮き２３の上部４を親浮き１中央部の収容部上部の装着部１１に装着することにより、道糸１３を挟岐している状態を示している親浮き上部３の平面図であり，８は子浮き２の収容部である。
【００３１】
図９の説明は図８と同様であが，親浮１き中央部に設けられている収容部８の形状は図６から図８までは全て六角形状でり、子浮き２の形状は円柱形状である。しかし、双方の形状は、図９に示されている通り、例えば、収容部８を円柱形状に設けており、かつ、子浮き２が六角形状に示されている通り、収容部８に設けられている子浮き２及び移動部７の外側周囲側面と、収容部８内側周囲側面の形状は前記子浮き２及び移動部７が上下移動時円滑に移動可能な形状であれば良く限定するものではないと言う事例を示している図である。 
【００３２】
上記のように構成されている万能釣り用浮きの内側に設けられている子浮き用の円柱形状の棒浮きは、下部糸通し穴の位置まで二股分岐されているが、機能か変わらなければ良く分岐する数を限定するものではない、
【００３３】
また、親浮き中央部に設けられている、子浮き及び移動部収容部の形状及び前記記載の子浮き及び移動部が，収容部移動時円滑に移動できる形状であれば良く双方の形状を限定するものではない。
【００３４】
また、さらに浮き着水後収容部に入水するため，収容部底部に設けられている移動部には道糸を巻き取る場合の水抜き用穴を設けられている、前記水抜き用穴の形状及び数は適宜に設ければよく限定するものではない。
【００３５】
上記のように構成されている万能釣り用浮きである。また、浮き全体の各部分に用いる材料等は、所定の浮力を得られるよう計算して材料を用いればよく限定するものではないが、例えば、親浮き上部や、子浮きは比重の軽いプラスチック材のポリプロピレン等を用いることが好ましい。また、用いる材料等は、下部は浮きの重心部を底部に設けるために比重の重いポリカーボネートや、ポリ塩化ビニル等々及び帯び金属等の材料を用いればよい、また、着水時上方移動する移動部に用いる材料も同様であり限定するものではない。
【００３６】
また，親浮きに設けられている収納部の形状や子浮き用棒状の浮きの形状は上下移動が円滑に可能であれば良く、例えば、円筒形用収納部に三角形や、四角形及び五角形等々の場合は、上下移動時の摩擦は削減され円滑に移動可能となる。また、形状が正反対の場合も同様である。
【００３７】
また、図１，２の浮きを使用して釣りをする場合は，遠投着水後浮き下はサルカン及び餌の重もさだけで徐々に水中に沈下するため浮きが道糸上部に設けられている浮き止めでまでは、数秒要するが，ハリスに重りを設けた場合は着水と、ほぼ同時に浮き止めに到着するため、親浮きから子浮きを浮上させるには浮き下とサルカンまでの道糸分だけ竿先を上下動させる必要があるが、遠投時親浮き上部に棒状の子浮き先端部脱着く可能な範囲で道糸を図４に示すように挟岐した状態で着水後親浮きは水面に浮遊した状態であり，その後竿先を上下動させることにより道糸を介して浮き下のサルカンと同時に移動部も上下連動するとすることにより子浮きは親浮きから浮上する。
【産業上の利用可能性】
【００３８】
本発明の万能釣り用浮きは、親浮きは上部と下部より構成され、親浮きの内側中心部に子浮き及び移動部用収納部を設けられて、そして、双方に貫通して
糸通り孔を設けられている、
【００３９】
また、万能釣り用浮きは、各部分の形成品の組み合わせより構成されており、製造方法の簡単であり、そのため製造単価も安価かのうである。現在釣り業界全般では、特に浮きに関しては新製品の開発はなかつたが、本発明の万能釣り用浮きを提供することにより、活用例としては、初めて釣をする人の場合は、仕掛けが面倒でうと言う人々が多く、少しでも仕掛けが単純であれば、釣りに出かける回数も増えることにより、釣り業界全般に良好な効果が期待可能な万能釣り用浮きである。
【００４０】
さらに、本発明の浮きの場合、遠投性に優れ、かつ、視認性にも優れていることにより、初心者でも沈降時を見逃す回数が激減することにより、釣の面白さを認識でき釣りの成果も大いに期待可能な万能釣り用浮きである。
【００４１】
さらに、安定した浮力の自立万能釣り用浮きを構成する各部分、例えば、親浮きの上部や、下部、子浮き用の棒状浮き及び移動重り部及び移動板等々に用いる材料を、例えば親浮き上部や子浮き用等は、比重の軽いポリプロピレンやポリエチレン等々のプラスチック材を用い、前記親浮き下部には、比重の重いポリカーボネートやポリ塩化ビニル及び金属等々の材料を用いる方法等々、浮力を考慮してすれば良い。
【００４２】
また、万能釣り用浮きの各部分は最適な浮力を得られる素材を用いて形成されており、親浮き上部中央部の収容部に、子浮き用の棒状の浮きの上部を挿入後、下部収容部の底部に移動部を挿入後、前記上部と下部の嵌合部を嵌合させて万能釣り用浮きは作られている
【図面の簡単な説明】
【００４３】
【図１】図１は、本発明の実施例１を示す縦中央断面図である。
【図２】図２は、本発明の実施例１を示す縦中央断面図である。
【図３】図３は、本発明の実施例２を示す縦中央断面図である。
【図４】図４は、本発明の実施例２を示す縦中央断面図である。
【図５】図５は、図１のＡ-Ａ’方向一部断面を示す平面図である。
【図６】図６は、図２のＢ-Ｂ’方向を示す断面図である。
【図７】図７は、図３のＣ-Ｃ’方向を示す底面図である。
【図８】図８は、図４のＤ-Ｄ’方向を示す平面図である。
【図９】図９の，他の実施例を示す平面図である。
【符号の説明】
【００４４】
親浮き    １  
子浮き    ２
上部      ３，４
下部      ５，６
移動部    ７
収容部    ８
糸通し孔  ９，１０
先端部    １１  
水面      １２
道糸      １３
水抜き穴  １４
嵌合部    １５，１６
釣り竿    １７
サルカン  １８
ハリス    １９  
釣り針    ２０
凹部      ２１
浮き止め  ２２
棒状の浮き２３
方向      上方，下方，Ａ-Ａ’、Ｂ-Ｂ’，Ｃ-Ｃ‘，Ｄ-Ｄ’，’
【要約】
【課題】使用性及び機能性に優れた作用効果を発揮する万能釣り用浮きを提供することである。
【解決手段】
従来の円錐形状や、どんぐり形状及び玉子形状等の飛ばし浮きの場合は、気象条件が悪く、強風やうねり等が発生した場合等は、前記記載の浮きの一部上部部だけ水面上に浮上しないため視認性が悪く、浮きの沈降時を多々見逃す場合があった。本発明の浮きの場合は、親浮きに中央部の収容部に子浮き用としての棒浮きと、棒浮きを移動させる移動部の設け、遠投するときに棒浮きを収納部に収納して遠投することができ、さらに、着水時竿先を二、三回上下させることにより道糸介して移動部が上下移動するため，収容部に収容されていた棒浮きの子浮きが上方に移動して水面上に浮上することにより，子浮き用の棒状の浮きが、従来の円錐形状やドングリ型形状及び玉子型形状の浮きと異なり約倍近く水面上に浮上するため浮きの視認性が各段に向上する万能釣り用浮きを提供することができる。
【選択図】図１【図１】
0004676571.tif 000002
【図２】
0004676571.tif 000003
【図３】
0004676571.tif 000004
【図４】
0004676571.tif 000005
【図５】
0004676571.tif 000006
【図６】
0004676571.tif 000007
【図７】
0004676571.tif 000008
【図８】
0004676571.tif 000009
【図９】
0004676571.tif 000010